(57)【特許請求の範囲】
【請求項１】
電話回路網を構成する基地局を介して通信端末装置と接続が可能な移動通信端末装置において、
ユーザが通過すべき経路を表わすものであって緯度及び経度からなる複数の経路情報を格納するための情報格納手段と、
ユーザによる経路設定操作に応じて、複数の経路情報を情報格納手段に格納する情報処理手段と、
装置本体の現在位置が前記通過すべき経路から所定距離以上にずれたときに通信を確立すべき通信端末装置の電話番号を表わす番号データを格納する番号格納手段と、
番号データを入力するために操作すべき番号入力キーと、
装置本体の現在位置を表わすものであって緯度及び経度からなる位置情報と情報格納手段に格納されている経路情報とに基づいて、装置本体の現在位置が前記通過すべき経路から所定距離以上にずれたか否かを判断する逸脱判断手段と、
装置本体の現在位置が前記通過すべき経路から所定距離以上にずれたと判断されたとき、装置本体の現在位置が前記通過すべき経路から所定距離以上にずれたことを報知する報知手段と、
装置本体の現在位置が前記通過すべき経路から所定距離以上にずれたと判断されたとき、番号格納手段に格納されている番号データに基づいて、前記通信端末装置との間で通信を確立する通信確立手段と、
前記通信が確立した状態で、装置本体の現在位置が前記通過すべき経路から所定距離以上にずれたことを表わす情報を前記通信端末装置へ向けて送信する情報送信手段
とを具えている移動通信端末装置。
【請求項２】
前記情報処理手段は、ユーザによる前記経路設定操作に応じて、一定期間、位置情報を前記経路情報として情報格納手段に格納する請求項１に記載の移動通信端末装置。
【請求項３】
経路の設定動作を開始させる設定開始時刻と、経路の設定動作を終了させる設定終了時刻とを設定することが可能であって、設定開始時刻を表わす設定開始時刻データ及び設定終了時刻を表わす設定終了時刻データを格納するための設定時刻格納手段と、設定開始時刻データ及び設定終了時刻データを入力するために操作すべき設定時刻入力キーとを具え、前記情報処理手段は、
位置情報を情報格納手段に格納する格納処理手段と、
設定時刻格納手段に格納されている設定開始時刻データに基づいて、設定開始時刻の経過を検知する設定開始時刻検知手段と、
設定時刻格納手段に格納されている設定終了時刻データに基づいて、設定終了時刻の経過を検知する設定終了時刻検知手段と、
設定開始時刻の経過が検知されたとき、位置情報の格納動作を開始させる一方、設定終了時刻の経過が検知されたとき、位置情報の格納動作を終了させる格納制御手段
とを具えている請求項２に記載の移動通信端末装置。
【請求項４】
ユーザによるキー操作に応じて経路の設定動作を開始させることが可能であると共に、経路の設定動作を開始させてから終了させるまでの設定時間を設定することが可能であって、経路の設定動作を開始させるための設定開始キーと、前記設定時間を表わす設定時間データを格納するための設定時間格納手段と、設定時間データを入力するために操作すべき設定時間入力キーとを具え、前記情報処理手段は、
位置情報を情報格納手段に格納する格納処理手段と、
前記設定開始キーが操作されたとき、位置情報の格納動作を開始させる格納開始制御手段と、
前記設定開始キーが操作されたとき、計時を開始する設定時間計時手段と、
設定時間格納手段に格納されている設定時間データと設定時間計時手段による計時結果とに基づいて、前記設定時間の経過を検知する設定時間検知手段と、
前記設定時間の経過が検知されたとき、位置情報の格納動作を終了させる格納終了制御手段
とを具えている請求項２に記載の移動通信端末装置。
【請求項５】
経路逸脱の監視動作を開始させる監視開始時刻と、経路逸脱の監視動作を終了させる監視終了時刻とを設定することが可能であって、監視開始時刻を表わす監視開始時刻データ及び監視終了時刻を表わす監視終了時刻データを格納するための監視時刻格納手段と、監視開始時刻データ及び監視終了時刻データを入力するために操作すべき監視時刻入力キーとを具え、前記逸脱判断手段は、
装置本体の現在位置が前記通過すべき経路から所定距離以上にずれたか否かを判断する判断処理手段と、
監視時刻格納手段に格納されている監視開始時刻データに基づいて、監視開始時刻の経過を検知する監視開始時刻検知手段と、
監視時刻格納手段に格納されている監視終了時刻データに基づいて、監視終了時刻の経過を検知する監視終了時刻検知手段と、
監視開始時刻の経過が検知されたとき、経路逸脱の判断動作を開始させる一方、監視終了時刻の経過が検知されたとき、経路逸脱の判断動作を終了させる判断制御手段
とを具えている請求項１乃至請求項４の何れかに記載の移動通信端末装置。
【請求項６】
ユーザによるキー操作に応じて経路逸脱の監視動作を開始させることが可能であると共に、経路逸脱の監視動作を開始させてから終了させるまでの監視時間を設定することが可能であって、経路逸脱の監視動作を開始させるための監視開始キーと、前記監視時間を表わす監視時間データを格納するための監視時間格納手段と、監視時間データを入力するために操作すべき監視時間入力キーとを具え、前記逸脱判断手段は、
装置本体の現在位置が前記通過すべき経路から所定距離以上にずれたか否かを判断する判断処理手段と、
前記監視開始キーが操作されたとき、経路逸脱の判断動作を開始させる判断開始制御手段と、
前記監視開始キーが操作されたとき、計時を開始する監視時間計時手段と、
監視時間格納手段に格納されている監視時間データと監視時間計時手段による計時結果とに基づいて、前記監視時間の経過を検知する監視時間検知手段と、
前記監視時間の経過が検知されたとき、経路逸脱の判断動作を終了させる判断終了制御手段
とを具えている請求項１乃至請求項４の何れかに記載の移動通信端末装置。
【請求項７】
前記逸脱判断手段は、装置本体の現在位置が前記通過すべき経路から所定距離以上にずれたか否かを判断する判断処理手段と、格納処理手段の格納動作が終了した後、経路逸脱の判断動作を開始させる判断開始制御手段とを具えている請求項３又は請求項４に記載の移動通信端末装置。
【請求項８】
基地局を介して位置情報を受信する請求項１乃至請求項７の何れかに記載の移動通信端末装置。
【発明の詳細な説明】
【０００１】
【発明の属する技術分野】
本発明は、ＰＨＳ(パーソナルハンディフォンシステム)端末装置、携帯電話機等の移動通信端末装置に関するものである。
【０００２】
【従来の技術】
近年、ＰＨＳにおいては、ＰＨＳ端末装置のユーザに対して、端末装置本体の現在位置を表わす位置情報を提供する位置情報提供サービスが行なわれている。図５は、該位置情報提供サービスを利用した従来の位置表示システムを表わしている。
該位置表示システムにおいては、図示の如くＰＨＳ端末装置である移動通信端末装置(10)は、基地局(２)、ＩＳＤＮ等のディジタル電話回線(５)及び電話局(３)を介して、位置情報センター(４)及びパーソナルコンピュータ(６)と接続可能である。
【０００３】
上記位置表示システムにおいては、移動通信端末装置(10)から、基地局(２)、ディジタル電話回線(５)及び電話局(３)を介して、位置情報センター(４)に位置情報の要求信号が供給されると、位置情報センター(４)から、ディジタル電話回線(５)、電話局(３)及び基地局(２)を介して、移動通信端末装置(10)に位置情報が供給される。
又、パーソナルコンピュータ(６)から、ディジタル電話回線(５)及び電話局(３)を介して、位置情報センター(４)に位置情報の要求信号が供給されると、位置情報センター(４)から、ディジタル電話回線(５)及び電話局(３)を介して、パーソナルコンピュータ(６)に位置情報が供給される。
この様にして移動通信端末装置(10)或いはパーソナルコンピュータ(６)に供給された位置情報に基づいて、移動通信端末装置(10)の表示装置(図示省略)或いはパーソナルコンピュータ(６)の画面に表示された地図上に、移動通信端末装置(10)の現在位置が表示されることになる。
【０００４】
ところで、上記位置表示システムにおいては、ユーザは、目的地まで移動する際、移動通信端末装置(10)を所持していれば、上述の如く移動通信端末装置(10)の表示装置に該端末装置(10)の現在位置を表示させることによって、自己の現在位置を認識することが可能である。
【０００５】
【発明が解決しようとする課題】
しかしながら、上記位置表示システムにおいては、移動通信端末装置(10)の現在位置が表示されるに過ぎないため、ユーザが目的地まで移動する途中で目的地までの所定経路を逸脱したとしても、ユーザは、その逸脱に気付かない問題があった。
そこで本発明の目的は、ユーザが通過すべき経路を予め設定することが出来、ユーザが該設定経路を逸脱したときにその逸脱をユーザに報知することが可能な移動通信端末装置を提供することである。
【０００６】
【課題を解決する為の手段】
本発明に係る移動通信端末装置は、電話回路網を構成する基地局を介して通信端末装置と接続が可能であって、
ユーザが通過すべき経路を表わすものであって緯度及び経度からなる複数の経路情報を格納するための情報格納手段と、
ユーザによる経路設定操作に応じて、複数の経路情報を情報格納手段に格納する情報処理手段と、
装置本体の現在位置が前記通過すべき経路から所定距離以上にずれたときに通信を確立すべき通信端末装置の電話番号を表わす番号データを格納する番号格納手段と、
番号データを入力するために操作すべき番号入力キーと、
装置本体の現在位置を表わすものであって緯度及び経度からなる位置情報と情報格納手段に格納されている経路情報とに基づいて、装置本体の現在位置が前記通過すべき経路から所定距離以上にずれたか否かを判断する逸脱判断手段と、
装置本体の現在位置が前記通過すべき経路から所定距離以上にずれたと判断されたとき、装置本体の現在位置が前記通過すべき経路から所定距離以上にずれたことを報知する報知手段と、
装置本体の現在位置が前記通過すべき経路から所定距離以上にずれたと判断されたとき、番号格納手段に格納されている番号データに基づいて、前記通信端末装置との間で通信を確立する通信確立手段と、
前記通信が確立した状態で、装置本体の現在位置が前記通過すべき経路から所定距離以上にずれたことを表わす情報を前記通信端末装置へ向けて送信する情報送信手段
とを具えている。
【０００７】
本発明に係る移動通信端末装置は、例えばＰＨＳ端末装置や携帯電話機に実施される。
該移動通信端末装置においては、ユーザによる経路設定操作に応じて、経路情報が情報格納手段に格納されて、ユーザが通過すべき経路が設定される。ここで、経路の設定方法としては、後述の如く位置情報を利用する方法や、移動通信端末装置とパーソナルコンピュータとを接続し、パーソナルコンピュータ上で入力された経路情報を移動通信端末装置に伝送する方法がある。
又、ユーザによる番号入力キーに対する操作に応じて、装置本体の現在位置が設定経路から所定距離以上にずれたときに通信を確立すべき通信端末装置の電話番号が登録される。
【０００８】
その後、装置本体の現在位置が上述の如く設定された経路から所定距離以上にずれたか否かの判断が行なわれ、所定距離以上にずれたと判断されたときに、装置本体の現在位置が設定経路から所定距離以上にずれたことが報知される。例えば、その旨のメッセージや警告音が発せられ、或いはその旨が画面に表示される。従って、該移動通信端末装置を所持するユーザは、自己が通過すべき経路を逸脱したことを知ることが出来る。
又、装置本体の現在位置が設定経路から所定距離以上にずれたと判断されたとき、上述の如く登録された電話番号の通信端末装置、例えばパーソナルコンピュータや電話機との間で通信が確立される。この状態で、移動通信端末装置から通信端末装置へ設定経路から所定距離以上にずれたことを表わす情報が送信される。通信端末装置は、該情報を受けて、例えば移動通信端末装置を所持するユーザが設定経路から所定距離以上にずれた旨や移動通信端末装置の現在位置を画面に表示し、或いは警告音やその旨のメッセージを発する。従って、移動通信端末装置を所持するユーザのみならず、通信端末装置のユーザも、移動通信端末装置を所持するユーザが設定経路から所定距離以上にずれたことを知ることが出来る。例えば、子供や老人の監視者は、子供や老人に移動通信端末装置を所持させれば、パーソナルコンピュータ等によってこれらの者が設定経路を逸脱したか否かを監視することが出来る。
【０００９】
具体的には、前記情報処理手段は、ユーザによる前記経路設定操作に応じて、一定期間、位置情報を前記経路情報として情報格納手段に格納する。
【００１０】
該具体的構成においては、ユーザが前記一定期間に、移動通信端末装置を所持して移動すると、位置情報が経路情報として情報格納手段に格納されて、ユーザが実際に移動した経路が、前記ユーザが通過すべき経路として設定されることになる。
該移動通信端末装置においては、ユーザが出発地から目的地までの間を往復する際、出発地から目的地までの往路をユーザが通過すべき経路として設定しておけば、ユーザが目的地から出発地に戻る途中で前記往路を逸脱したとき、その逸脱がユーザに報知されることとなる。従って、ユーザは、目的地から往路と同一経路を通って出発地に戻ることが出来る。
【００１１】
又、具体的構成においては、経路の設定動作を開始させる設定開始時刻と、経路の設定動作を終了させる設定終了時刻とを設定することが可能であって、設定開始時刻を表わす設定開始時刻データ及び設定終了時刻を表わす設定終了時刻データを格納するための設定時刻格納手段と、設定開始時刻データ及び設定終了時刻データを入力するために操作すべき設定時刻入力キーとを具え、前記情報処理手段は、
位置情報を情報格納手段に格納する格納処理手段と、
設定時刻格納手段に格納されている設定開始時刻データに基づいて、設定開始時刻の経過を検知する設定開始時刻検知手段と、
設定時刻格納手段に格納されている設定終了時刻データに基づいて、設定終了時刻の経過を検知する設定終了時刻検知手段と、
設定開始時刻の経過が検知されたとき、位置情報の格納動作を開始させる一方、設定終了時刻の経過が検知されたとき、位置情報の格納動作を終了させる格納制御手段
とを具えている。
【００１２】
そして、上記具体的構成を有する移動通信端末装置は、経路逸脱の監視動作を開始させる監視開始時刻と、経路逸脱の監視動作を終了させる監視終了時刻とを設定することが可能であって、監視開始時刻を表わす監視開始時刻データ及び監視終了時刻を表わす監視終了時刻データを格納するための監視時刻格納手段と、監視開始時刻データ及び監視終了時刻データを入力するために操作すべき監視時刻入力キーとを具え、前記逸脱判断手段は、
装置本体の現在位置が前記通過すべき経路から所定距離以上にずれたか否かを判断する判断処理手段と、
監視時刻格納手段に格納されている監視開始時刻データに基づいて、監視開始時刻の経過を検知する監視開始時刻検知手段と、
監視時刻格納手段に格納されている監視終了時刻データに基づいて、監視終了時刻の経過を検知する監視終了時刻検知手段と、
監視開始時刻の経過が検知されたとき、経路逸脱の判断動作を開始させる一方、監視終了時刻の経過が検知されたとき、経路逸脱の判断動作を終了させる判断制御手段
とを具えている。
【００１３】
該具体的構成を有する移動通信端末装置においては、ユーザは、該装置を使用するに際し、設定時刻入力キーを操作して、経路の設定動作を開始させる設定開始時刻と、経路の設定動作を終了させる設定終了時刻とを入力する。又、ユーザは、監視時刻入力キーを操作して、経路逸脱の監視動作を開始させる監視開始時刻と、経路逸脱の監視動作を終了させる監視終了時刻とを入力する。
【００１４】
該移動通信端末装置においては、設定開始時刻になると、位置情報の格納動作が開始され、その後、設定終了時刻になると、位置情報の格納動作が終了する。そして、監視開始時刻になると、経路逸脱の判断動作が開始され、その後、監視終了時刻になると、経路逸脱の判断動作が終了する。
この様にして、設定開始時刻に経路の設定が自動的に開始されると共に、設定終了時刻に経路の設定が自動的に終了することになる。又、監視開始時刻に経路逸脱の監視が自動的に開始されると共に、監視終了時刻に経路逸脱の監視が自動的に終了することになる。
【００１５】
他の具体的構成においては、ユーザによるキー操作に応じて経路の設定動作を開始させることが可能であると共に、経路の設定動作を開始させてから終了させるまでの設定時間を設定することが可能であって、経路の設定動作を開始させるための設定開始キーと、前記設定時間を表わす設定時間データを格納するための設定時間格納手段と、設定時間データを入力するために操作すべき設定時間入力キーとを具え、前記情報処理手段は、
位置情報を情報格納手段に格納する格納処理手段と、
前記設定開始キーが操作されたとき、位置情報の格納動作を開始させる格納開始制御手段と、
前記設定開始キーが操作されたとき、計時を開始する設定時間計時手段と、
設定時間格納手段に格納されている設定時間データと設定時間計時手段による計時結果とに基づいて、前記設定時間の経過を検知する設定時間検知手段と、
前記設定時間の経過が検知されたとき、位置情報の格納動作を終了させる格納終了制御手段
とを具えている。
【００１６】
そして、上記他の具体的構成を有する移動通信端末装置は、ユーザによるキー操作に応じて経路逸脱の監視動作を開始させることが可能であると共に、経路逸脱の監視動作を開始させてから終了させるまでの監視時間を設定することが可能であって、経路逸脱の監視動作を開始させるための監視開始キーと、前記監視時間を表わす監視時間データを格納するための監視時間格納手段と、監視時間データを入力するために操作すべき監視時間入力キーとを具え、前記逸脱判断手段は、
装置本体の現在位置が前記通過すべき経路から所定距離以上にずれたか否かを判断する判断処理手段と、
前記監視開始キーが操作されたとき、経路逸脱の判断動作を開始させる判断開始制御手段と、
前記監視開始キーが操作されたとき、計時を開始する監視時間計時手段と、
監視時間格納手段に格納されている監視時間データと監視時間計時手段による計時結果とに基づいて、前記監視時間の経過を検知する監視時間検知手段と、
前記監視時間の経過が検知されたとき、経路逸脱の判断動作を終了させる判断終了制御手段
とを具えている。
【００１７】
該具体的構成を有する移動通信端末装置においては、ユーザは、該装置を使用するに際し、設定時間入力キーを操作して、経路の設定動作を開始させてから終了させるまでの設定時間を入力する。又、ユーザは、監視時間入力キーを操作して、経路逸脱の監視動作を開始させてから終了させるまでの監視時間を入力する。
【００１８】
該移動通信端末装置においては、ユーザが設定開始キーを操作すると、その時点で位置情報の格納動作が開始され、その後、設定時間が経過すると、位置情報の格納動作が終了する。そして、ユーザが監視開始キーを操作すると、その時点で経路逸脱の判断動作が開始され、その後、監視時間が経過すると、経路逸脱の判断動作が終了する。
この様にして、ユーザが設定開始キーを操作することによって経路の設定が開始され、その後、設定時間が経過すると、経路の設定が自動的に終了することになる。又、ユーザが監視開始キーを操作することによって経路逸脱の監視が開始され、その後、監視時間が経過すると、経路逸脱の監視が自動的に終了することになる。
【００１９】
或いは、上記他の具体的構成を有する移動通信端末装置は、前記逸脱判断手段は、装置本体の現在位置が前記通過すべき経路から所定距離以上にずれたか否かを判断する判断処理手段と、格納処理手段の格納動作が終了した後、経路逸脱の判断動作を開始させる判断開始制御手段とを具えている。
【００２０】
該具体的構成を有する移動通信端末装置においては、格納処理手段の格納動作が終了して、経路の設定が終了した後、自動的に判断処理手段の判断動作が開始されて、装置本体の経路逸脱の監視が開始される。
従って、該移動通信端末装置の使用に際し、経路逸脱の監視を開始させる時刻を予め設定する操作や、経路逸脱の監視を開始させるためのキー操作は不要である。
【００２５】
【発明の効果】
本発明に係る移動通信端末装置によれば、ユーザが予め設定した経路を逸脱したとき、その逸脱がユーザに報知されるので、その時点で、ユーザは、自己が設定経路を逸脱したことを認識することが出来る。
【００２６】
【発明の実施の形態】
以下、ＰＨＳにおける位置情報サービスを利用した経路逸脱監視システムを構築した例につき、図面に沿って具体的に説明する。
本発明の経路逸脱監視システムにおいては、図１に示す如く、ＰＨＳ端末装置である移動通信端末装置(１)は、ＰＨＳの基地局(２)、ＩＳＤＮ等のディジタル電話回線(５)及び電話局(３)を介して、移動通信端末装置(１)の現在位置を表わす位置情報を提供する位置情報センター(４)と接続可能である。
【００２７】
本発明に係る移動通信端末装置(１)は、ユーザが通過すべき経路を予め設定することが可能であって、ユーザが該設定経路を逸脱したときにその旨を報知する機能を有しており、前記経路を設定する際に設定すべき経路設定モードと、ユーザが経路を逸脱したか否かを監視する経路逸脱監視モードの設定が可能である。経路設定モードにおいては、移動通信端末装置(１)を所持するユーザが移動した経路を、前記ユーザが通過すべき経路として設定することが可能である。
【００２８】
該移動通信端末装置(１)においては、図１に示す如くスピーカ(11)及びマイクロホン(以下、マイクという)(12)に、音声処理回路(13)及び送受信回路(14)が直列に接続されている。音声処理回路(13)及び送受信回路(14)には、制御回路(15)が接続され、該制御回路(15)によって、両回路(13)(14)の動作が制御されている。
【００２９】
制御回路(15)には、経路設定モードを設定する際に操作すべき経路設定キー(図示省略)や経路逸脱監視モードを設定する際に操作すべき監視キー(図示省略)を有するキー入力装置(16)と、後述する経路情報、設定時間データ、監視時間データ等を格納すべきメモリ(17)が接続されている。
又、制御回路(15)には、ユーザが経路を逸脱した旨を表示するための表示装置(18)、及びユーザが経路を逸脱したときに警告音を発する警告音発生装置(19)が接続されている。
【００３０】
上記移動通信端末装置(１)においては、ユーザは、予め、経路設定モードを設定すべき時間(以下、経路設定モード設定時間という)及び経路逸脱監視モードを設定すべき時間(以下、経路逸脱監視モード設定時間)を入力する。入力された設定時間データ及び監視時間データは、メモリ(17)に格納される。
【００３１】
この状態で、ユーザは、キー入力装置(16)の経路設定キーを押下した後、移動通信端末装置(１)を所持して移動する。経路設定キーが押下されることにより移動通信端末装置本体が経路設定モードに設定されて、制御回路(15)は、送受信回路(14)に位置情報要求信号を供給すると共に、内蔵せるタイマＴ１及びタイマＴ２をリセットし、送受信回路(14)は、前記位置情報要求信号を基地局(２)へ向けて送信する。
【００３２】
基地局(２)は、送受信回路(14)から送信された位置情報要求信号を受信して、該信号をディジタル電話回線(５)及び電話局(３)を介して位置情報センター(４)に供給する。位置情報センター(４)は、該要求信号を受けて、ディジタル電話回線(５)及び電話局(３)を介して、位置情報を基地局(２)に供給する。ここで、位置情報は、例えば緯度Ｘ及び経度Ｙで表わされる。基地局(２)は、該位置情報を移動通信端末装置(１)に向けて送信する。
【００３３】
移動通信端末装置(１)の送受信回路(14)は、基地局(２)から送信された位置情報を受信して制御回路(15)に供給し、制御回路(15)は、該位置情報を、経路情報としてメモリ(17)に格納する。
【００３４】
制御回路(15)は、タイマＴ２の計時結果に基づいて、所定の時間間隔、例えば５分間隔で、上記送受信回路(14)に対する位置情報要求信号の供給動作を繰り返す。
又、制御回路(15)は、タイマＴ１の計時結果とメモリ(17)に格納されている設定時間データに基づいて、ユーザにより経路設定キーが押下されてから、経路設定モード設定時間が経過したか否かを判断し、該設定時間が経過したと判断したとき、上記送受信回路(14)に対する位置情報要求信号の供給動作を停止する。この様にして、移動通信端末装置本体は、経路設定モードから通常モードに戻ることになる。
経路設定モードにおいては、上述の如く、位置情報センター(４)から所定の時間間隔で複数の位置情報が取得され、これら複数の位置情報がそれぞれ経路情報としてメモリ(17)に格納されて、移動通信端末装置(１)を所持するユーザが移動した経路が、ユーザが通過すべき経路として設定されることになる。
【００３５】
その後、ユーザは、上述の如く設定した経路を通って移動せんとする際、キー入力装置(16)の監視キーを押下する。該操作によって移動通信端末装置本体が経路逸脱監視モードに設定されて、制御回路(15)は、送受信回路(14)に位置情報要求信号を供給すると共に、内蔵せるタイマＴ３及びタイマＴ４をリセットし、送受信回路(14)は、前記位置情報要求信号を基地局(２)へ向けて送信する。
【００３６】
基地局(２)は、送受信回路(14)から送信された位置情報要求信号を受信して、該信号をディジタル電話回線(５)及び電話局(３)を介して位置情報センター(４)に供給する。位置情報センター(４)は、該要求信号を受けて、ディジタル電話回線(５)及び電話局(３)を介して、位置情報を基地局(２)に供給し、基地局(２)は、該位置情報を移動通信端末装置(１)に向けて送信する。
【００３７】
移動通信端末装置(１)の送受信回路(14)は、基地局(２)から送信された位置情報を受信して制御回路(15)に供給し、制御回路(15)は、該位置情報をメモリ(17)に格納する。
【００３８】
制御回路(15)は、該位置情報と、上述の如くメモリ(17)に格納されている経路情報とに基づいて、ユーザが設定経路を逸脱しているか否かを判断する。該経路逸脱判断の方法については、後述する。
制御回路(15)は、ユーザが設定経路を逸脱したと判断した場合は、表示装置(18)に警告表示信号を供給すると共に、警告音発生装置(19)に警告音発生信号を供給する。この結果、ユーザが設定経路を逸脱した旨の警告表示が、表示装置(18)に為されると共に、警告音発生装置(19)から警告音が発せられることになる。
その後、ユーザが、キー入力装置(16)の停止キー(図示省略)を押下すると、制御回路(15)は、表示装置(18)に対する警告表示信号の供給を停止すると共に、警告音発生装置(19)に対する警告音発生信号の供給を停止する。この結果、表示装置(18)における上記警告表示が終了すると共に、警告音発生装置(19)からの警告音の出力が停止される。
【００３９】
これに対し、制御回路(15)は、ユーザが設定経路を逸脱していないと判断した場合は、タイマＴ３の計時結果に基づいて、所定の時間間隔、例えば５分間隔で、上記送受信回路(14)に対する位置情報要求信号の供給動作を繰り返し、送受信回路(14)によって位置情報が受信される度に、上記経路逸脱判断動作を繰り返す。
又、制御回路(15)は、タイマＴ４の計時結果とメモリ(17)に格納されている監視時間データに基づいて、ユーザにより監視キーが押下されてから経路逸脱監視モード設定時間が経過したか否かを判断し、該設定時間が経過したと判断したとき、上記送受信回路(14)に対する位置情報要求信号の供給動作を停止すると共に、上記経路逸脱判断動作を停止する。この様にして、移動通信端末装置本体は、経路逸脱監視モードから通常モードに戻ることになる。
【００４０】
経路逸脱監視モードにおいては、上述の如く、位置情報センター(４)から所定の時間間隔で位置情報が取得され、位置情報が取得される度に、位置情報と経路情報とに基づいてユーザが設定経路を逸脱したか否かが判断される。そして、ユーザが設定経路を逸脱したときに、表示装置(18)にその旨の警告表示が為されると共に、警告音発生装置(19)から警告音が発せられる。
【００４１】
上記制御回路(15)の経路逸脱判断方法について、図２に基づき具体的に説明する。尚、経路設定モードにおいて取得された複数の位置情報(Ｘ，Ｙ)は、経路情報(Ｘ１，Ｙ１)…(Ｘｎ，Ｙｎ)としてメモリ(17)に格納される。図２に示す例では、経路設定モードにおいて３つの位置情報が取得され、これらの位置情報が経路情報(Ｘ１，Ｙ１)、(Ｘ２，Ｙ２)、(Ｘ３，Ｙ３)としてメモリ(17)に格納されている。
【００４２】
先ず、経路逸脱監視モードにおいて取得された位置情報(Ｘ，Ｙ)が表わす位置Ｐから経路情報(Ｘｉ，Ｙｉ)が表わす位置までの距離Ｒａｉ２が、下記数１によって算出される。
【数１】
Ｒａｉ２＝(Ｘ−Ｘｉ)２＋(Ｙ−Ｙｉ)２
１≦ｉ≦ｎ
【００４３】
図２に示す例では、位置情報(Ｘ，Ｙ)が表わす位置Ｐから経路情報(Ｘ１，Ｙ１)、(Ｘ２，Ｙ２)及び(Ｘ３，Ｙ３)がそれぞれ表わす位置Ａ、Ｂ、Ｃまでの距離Ｒａ１、Ｒａ２、Ｒａ３が算出される。
【００４４】
次に、位置情報(Ｘ，Ｙ)の位置Ｐから、経路情報(Ｘｉ，Ｙｉ)が表わす位置と経路情報(Ｘｉ＋１，Ｙｉ＋１)が表わす位置とを結ぶ直線に向かって垂線をひいたときの交点を位置Ｈｉとして、位置情報(Ｘ，Ｙ)の位置Ｐから位置Ｈｉまでの距離Ｒｂｉが、下記数２によって算出される。
【数２】
Ｒｂｉ２＝αｉ２βｉ２／(αｉ２＋βｉ２)
αｉ＝｜Ｘｉ−Ｘ＋(Ｙ−Ｙｉ)(Ｘｉ＋１−Ｘｉ)／(Ｙｉ＋１−Ｙｉ)｜
βｉ＝｜Ｙｉ−Ｙ＋(Ｘ−Ｘｉ)(Ｙｉ＋１−Ｙｉ)／(Ｘｉ＋１−Ｘｉ)｜
１≦ｉ≦ｎ
【００４５】
図２に示す例では、位置情報(Ｘ，Ｙ)が表わす位置Ｐから、経路情報(Ｘ１，Ｙ１)が表わす位置Ａと経路情報(Ｘ２，Ｙ２)が表わす位置Ｂとを結ぶ直線に向かって垂線をひいたときの交点を位置Ｈ１として、位置情報(Ｘ，Ｙ)が表わす位置Ｐから位置Ｈ１までの距離Ｒｂ１が算出される。又、位置情報(Ｘ，Ｙ)が表わす位置Ｐから、経路情報(Ｘ２，Ｙ２)が表わす位置Ｂと経路情報(Ｘ３，Ｙ３)が表わす位置Ｃとを結ぶ直線に向かって垂線をひいたときの交点を位置Ｈ２として、位置情報(Ｘ，Ｙ)が表わす位置Ｐから位置Ｈ２までの距離Ｒｂ２が算出される。
【００４６】
その後、設定経路から経路逸脱監視モードにおける移動通信端末装置(１)の位置までの距離Ｒとして、上述の如く算出されたＲａｉ、Ｒｂｉの中から最小値をとるものが選出され、距離Ｒの値が所定値Ｒ０より大きいか否かが判断される。そして、距離Ｒの値が所定値Ｒ０より大きい場合は、ユーザが設定経路を逸脱したと判断されるのに対し、距離Ｒの値が所定値Ｒ０以下である場合は、ユーザが設定経路を逸脱していないと判断される。
【００４７】
図３は、上記制御回路(15)の経路設定手続を表わしている。
先ずステップＳ１では、キー入力装置(16)の経路設定キーが押下されたか否かを判断し、ノー(Ｎｏ)と判断された場合は、ステップＳ１にて同じ判断を繰り返す。
一方、ユーザにより経路設定キーが押下されてステップＳ１にてイエス(Ｙｅｓ)と判断された場合は、ステップＳ２に移行して、カウンタ変数ｉを０に初期化すると共にタイマＴ１をリセットする。ここで、移動通信端末装置(１)は、経路設定モードに設定される。
【００４８】
続いてステップＳ３では、カウンタ変数ｉをカウントアップすると共に、タイマＴ２をリセットした後、ステップＳ４にて、位置情報要求信号を送受信回路(14)に対して出力する。この結果、送受信回路(14)は、位置情報センター(４)からの位置情報(Ｘ，Ｙ)を受信することになる。
次にステップＳ５では、送受信回路(14)から位置情報(Ｘ，Ｙ)を取得して、該位置情報(Ｘ，Ｙ)を経路情報(Ｘｉ，Ｙｉ)としてメモリ(17)に格納した後、ステップＳ６では、タイマＴ１の計時結果とメモリ(17)に格納されている設定時間データに基づいて、ユーザにより予め設定された経路情報設定モード設定時間が経過したか否かを判断する。
【００４９】
ステップＳ６にてノーと判断された場合は、ステップＳ７に移行して、タイマＴ２の計時結果に基づいて所定時間、例えば５分が経過したか否かを判断する。ステップＳ７にてノーと判断された場合は、ステップＳ７にて同じ判断を繰り返し、所定時間が経過すると、ステップＳ７にてイエスと判断されて、ステップＳ３に戻る。
その後、経路設定モード設定時間が経過すると、ステップＳ６にてイエスと判断されて、上記手続を終了する。ここで、移動通信端末装置(１)は、経路設定モードから通常のモードに戻る。
経路設定モードにおいては、上記手続によって、位置情報センター(４)から５分間隔で位置情報が取得され、該位置情報が経路情報として設定されることになる。
【００５０】
図４は、上記制御回路(15)の経路逸脱監視手続を表わしている。
先ずステップＳ１１では、キー入力装置(16)の監視キーが押下されたか否かを判断し、ノーと判断された場合は、ステップＳ１１にて同じ判断を繰り返す。
一方、ユーザにより監視キーが押下されてステップＳ１１にてイエスと判断された場合は、ステップＳ１２に移行して、タイマＴ３及びタイマＴ４をリセットする。ここで、移動通信端末装置(１)は、経路逸脱監視モードに設定される。
続いてステップＳ１３では、位置情報要求信号を送受信回路(14)に対して出力する。この結果、送受信回路(14)は、位置情報センター(４)から位置情報(Ｘ，Ｙ)を受信することになる。
【００５１】
次にステップＳ１４では、送受信回路(14)から位置情報(Ｘ，Ｙ)をメモリ(17)に格納し、続いて、ステップＳ１５にて距離Ｒａｉ２を算出した後、ステップＳ１６にて距離Ｒｂｉ２を算出する。
その後、ステップＳ１７にて距離Ｒを選定した後、ステップＳ１８では、距離Ｒの値が所定値Ｒｏより大きいか否かを判断し、イエスと判断された場合は、ステップＳ２１に移行して、表示装置(18)に対して警告表示信号を出力すると共に、警告音発生装置(19)に対して警告音発生信号を出力する。この結果、経路を逸脱した旨の警告表示が表示装置(18)に為されると共に、警告音発生装置(19)から警告音が発せられることになる。
【００５２】
次にステップＳ２２では、キー入力装置(16)の停止キーが押下されたか否かを判断し、ノーと判断された場合はステップＳ２１に戻る。
一方、ユーザにより停止キーが押下されてステップＳ２２にてイエスと判断された場合は、ステップＳ２３に移行して、表示装置(18)に対する警告表示信号の出力を停止すると共に、警告音発生装置(19)に対する警告音発生信号の出力を停止した後、ステップＳ１３に戻る。この結果、表示装置(18)における上記警告表示が終了すると共に、警告音発生装置(19)からの警告音の出力が停止される。
【００５３】
これに対し、上記ステップＳ１８にてノーと判断された場合は、ステップＳ１９に移行して、タイマＴ３の計時結果とメモリ(17)に格納されている監視時間データに基づいて、ユーザにより予め設定された経路逸脱監視モード設定時間が経過したか否かを判断する。
【００５４】
ステップＳ１９にてノーと判断された場合は、ステップＳ２０に移行して、タイマＴ４の計時結果に基づいて所定時間、例えば５分が経過したか否かを判断する。ステップＳ２０にてノーと判断された場合は、ステップＳ２０にて同じ判断を繰り返し、所定時間が経過すると、ステップＳ２０にてイエスと判断されて、ステップＳ１３に戻る。
その後、経路逸脱監視モード設定時間が経過すると、ステップＳ１９にてイエスと判断されて、上記手続を終了する。ここで、移動通信端末装置(１)は、経路逸脱監視モードから通常モードに戻る。
【００５５】
経路逸脱監視モードにおいては、上記手続によって、位置情報センター(４)から５分間隔で位置情報が取得され、該位置情報とメモリ(17)に格納されている経路情報とに基づいて、ユーザが予め設定した経路を逸脱したか否かが判断される。そして、ユーザが予め設定した経路を逸脱したと判断されたとき、その旨の表示が表示装置(18)に為されると共に、警告音発生装置(19)から警告音が発せられることになる。
【００５６】
本発明に係る移動通信端末装置(１)においては、ユーザが通過すべき経路を予め設定することが出来、ユーザが該設定経路を逸脱したとき、逸脱した旨が表示装置(18)に表示されると共に、警告音発生装置(19)から警告音が発せられる。ユーザは、該表示や警告音によって、自己が設定経路を逸脱したことを認識することが出来る。
【００５７】
尚、本発明の移動通信端末装置(１)は上記実施の形態に限らず、特許請求の範囲に記載の技術的範囲内で種々の変形が可能である。
例えば、上記実施の形態においては、ユーザによるキー操作に応じて経路設定モード或いは経路逸脱監視モードが設定されると共に、ユーザにより予め設定された時間が経過したとき、これらのモードが通常モードに切り替わる構成を採用しているが、ユーザが予めこれらのモードの設定開始時刻及び設定終了時刻を設定しておき、設定開始時刻になったとき、これらのモードが設定されると共に、設定終了時刻になったとき、これらのモードが通常モードに切り替わる構成を採用することも可能である。
又、経路設定モードが終了した後、自動的に経路逸脱監視モードが設定される構成を採用することも可能である。
【００５８】
又、経路設定モードにおいては、位置情報センター(４)から供給された位置情報を経路情報としてメモリ(17)に格納して、ユーザが通過すべき経路を設定する構成を採用しているが、移動通信端末装置とパーソナルコンピュータとを接続し、パーソナルコンピュータ上で入力された経路情報を移動通信端末装置に伝送して、メモリ(17)に格納する構成を採用することも可能である。
【００５９】
又、移動通信端末装置(１)が、基地局(２)、電話回線(５)及び電話局(３)を介して、パーソナルコンピュータや電話機と接続可能な経路逸脱監視システムにおいては、移動通信端末装置(１)を所持するユーザが設定経路を逸脱したときに通信を確立すべきパーソナルコンピュータ等の電話番号を登録しておき、ユーザが設定経路を逸脱したときに、該電話番号に基づきパーソナルコンピュータ等との間で通信を確立して、移動通信端末装置(１)の現在位置を表わす情報や、移動通信端末装置(１)を所持するユーザが経路を逸脱した旨のメッセージをパーソナルコンピュータ等に送信する構成を採用することも出来る。
更に、上記実施の形態においては、本発明に係る移動通信端末装置をＰＨＳ端末装置に実施しているが、これに拘わらず、携帯電話機に実施することも可能である。
【図面の簡単な説明】
【図１】本発明を実施した経路逸脱監視システムの構成を表わすブロック図である。
【図２】制御回路の経路逸脱判断方法を説明する図である。
【図３】制御回路による経路設定手続を表わすフローチャートである。
【図４】制御回路による経路逸脱監視手続を表わすフローチャートである。
【図５】従来の位置表示システムを表わすブロック図である。
【符号の説明】
(１)  移動通信端末装置
(11)  スピーカ
(12)  マイク
(13)  音声処理回路
(14)  送受信回路
(15)  制御回路
(16)  キー入力装置
(17)  メモリ
(18)  表示装置
(19)  警告音発生装置
(２)  基地局
(３)  電話局
(４)  位置情報センター
(５)  ディジタル電話回線
【図１】
0003778737.tif 000002
【図２】
0003778737.tif 000003
【図３】
0003778737.tif 000004
【図４】
0003778737.tif 000005
【図５】
0003778737.tif 000006